(57)【要約】【課題】  搭載された機能の理解を支援するために、その機能を使う動作を自動的に行うデータ処理装置を提供する。【解決手段】  ユーザーはスイッチ部１１１への操作により、着信音や留守応答などの設定を変更する。ＣＰＵ１０２はその変更に係わる情報を履歴として保存し、履歴として保存したデータを参照して、設定の自動更新を行うタイミングを決定し、そのデータを基に、自動更新で設定すべき内容を決定する。【選択図】      図１
2006019990.tif 000002
【特許請求の範囲】
【請求項１】
設定内容で所定の処理を行う少なくとも１つの処理手段を備えたデータ処理装置において、
前記処理手段が処理に反映させる設定内容をユーザーが更新するための設定更新手段と、
前記設定内容を自動的に更新する自動更新手段と、
前記設定内容が更新された場合に、該更新に係わる更新情報を記録する情報記録手段と、
前記情報記録手段が記録した更新情報に基づいて、前記自動更新手段に前記設定内容を更新させる制御手段と、
を具備することを特徴とするデータ処理装置。
【請求項２】
前記情報記録手段が記録する更新情報は、少なくとも前記設定内容が更新された時を示す時間情報を有し、
前記制御手段は、前記更新情報中の時間情報を参照することにより、前記設定内容が最後に更新されてから所定期間、経過した場合に、前記自動更新手段に該設定内容を更新させる、
ことを特徴とする請求項１記載のデータ処理装置。
【請求項３】
前記情報記録手段が記録する更新情報は、少なくとも前記設定内容の更新に伴う変更内容を示す変更情報を有し、
前記制御手段は、前記更新情報中の変更情報から特定される、前記設定内容が更新される傾向に沿って前記自動更新手段に該設定内容を更新させる、
ことを特徴とする請求項１、または２記載のデータ処理装置。
【請求項４】
設定内容で所定の処理を行う少なくとも１つの処理手段を備えたデータ処理装置に実行させるプログラムであって、
前記処理手段が処理に反映させる設定内容をユーザーが更新するための機能と、
前記設定内容を自動的に更新する機能と、
前記設定内容が更新された場合に、該更新に係わる更新情報を記録する機能と、
前記記憶する機能により記録した更新情報に基づいて、前記更新する機能により前記設定内容を更新させる機能と、
を実現させるためのプログラム。
【発明の詳細な説明】
【技術分野】
【０００１】
本発明は、設定内容で所定の処理を行う少なくとも１つの処理手段を備えたデータ処理装置に関する。
【背景技術】
【０００２】
様々な形態の製品として製造されるデータ処理装置は、半導体技術やソフトウェア技術の進歩もあって、多機能化される傾向がある。それにより、様々な機能が搭載され、設定を任意に変更できる機能も多くなっている。例えばデータ処理装置の一種である、携帯電話機やＰＨＳに代表される携帯通信端末装置では、着信音や留守応答などをユーザーが任意に変更できるのが普通となっている。
【０００３】
ところで、データ処理装置の多機能化は、機能の使用方法を理解するのを困難にさせる。それにより、必要と考える機能の必要と考える使用方法のみを憶えて使うような使い方をしているユーザーも少なくないのが実情である。しかし、そのような使い方をしていると、データ処理装置に搭載された機能を使いこなせるようにならないだけでなく、その機能がどのようなものであるかさえ十分に理解することはできない。データ処理装置は多機能化の傾向があるために、今後、製品化されるデータ処理装置は更に使いこなせなくなる可能性は高くなると予想される。
【０００４】
そのようなことが予想されるユーザーの多くは、自ら憶えようという意欲が乏しいか、或いは、その必要性を感じていないと考えられる。このことから、データ処理装置の使い方の理解を支援する選択肢として、搭載された機能を使う動作を自動的にデータ処理装置に行わせることを重視すべきと考えられる。
【特許文献１】特開２００３−９９５７０号公報
【特許文献２】特開平７−１２３１８７号公報
【特許文献３】特開平５−０２７８８８号公報
【発明の開示】
【発明が解決しようとする課題】
【０００５】
本発明の課題は、搭載された機能の理解を支援するために、その機能を使う動作を自動的に行うデータ処理装置を提供することにある。
【課題を解決するための手段】
【０００６】
本発明のデータ処理装置は、設定内容で所定の処理を行う少なくとも１つの処理手段を備えていることを前提とし、処理手段が処理に反映させる設定内容をユーザーが更新するための設定更新手段と、設定内容を自動的に更新する自動更新手段と、設定内容が更新された場合に、該更新に係わる更新情報を記録する情報記録手段と、情報記録手段が記録した更新情報に基づいて、自動更新手段に設定内容を更新させる制御手段と、を具備する。
【０００７】
なお、上記情報記録手段が記録する更新情報は、少なくとも設定内容が更新された時を示す時間情報を有し、制御手段は、更新情報中の時間情報を参照することにより、設定内容が最後に更新されてから所定期間、経過した場合に、自動更新手段に該設定内容を更新させる、ことが望ましい。
【０００８】
また、上記情報記録手段が記録する更新情報は、少なくとも設定内容の更新に伴う変更内容を示す変更情報を有し、制御手段は、更新情報中の変更情報から特定される、設定内容が更新される傾向に沿って自動更新手段に該設定内容を更新させる、ことが望ましい。
【０００９】
本発明のプログラムは、上記データ処理装置が具備する手段を実現させるための機能を搭載している。
【発明の効果】
【００１０】
本発明は、処理手段が処理に反映させる設定内容の更新により、その更新に係わる更新情報を記録し、記録した更新情報に基づいて、設定内容を自動的に更新する。その自動更新によって、データ処理装置は異なる動作をするようになる。その変化から、どのような機能が搭載され、どのような設定変更が可能か、といったことか予測できるようになる。このため、搭載された機能を理解していない、或いは余り理解していないようなユーザーに対しては、その理解を支援することとなる。
【発明を実施するための最良の形態】
【００１１】
以下、本発明の実施の形態について、図面を参照しながら詳細に説明する。
図１は、本実施の形態によるデータ処理装置が通信可能なネットワークシステムの構成を説明する図である。
【００１２】
本実施の形態によるデータ処理装置１０は、図１に示すように、例えば携帯電話機、或いはＰＨＳなどの無線で通信を行う移動通信端末装置（このことから以降、データ処理装置１０を「移動端末１０」と表記する）である。それが通信可能なネットワークシステムは、通信ネットワーク２０にサーバ３０を接続させた構成となっている。その通信ネットワーク２０は、例えばインターネット、及び移動体通信網等を含むものである。その移動体通信網の存在により、通信ネットワーク２０には移動端末１０と無線で通信を行う基地局２１が多数、接続されている。
【００１３】
移動端末１０は、着信音、着信に一定時間、応答しないことで行われる留守応答（のメッセージ）などをユーザーが任意に変更できるものである。通信ネットワーク２０を介して接続されるサーバ３０は、様々な着信音を格納した着信音データベース（ＤＢ）３１、或いは様々な留守応答（メッセージ）を格納した留守応答ＤＢ３２にアクセスして、ユーザーが要求した着信音、或いは留守応答を移動端末１０にダウンロードするサービスを提供する。そのサービスを利用することにより、移動端末１０のユーザーは所望の着信音、或いは留守応答をダウンロードして実際に放音させる着信音、或いは実際に送信させる留守応答として設定することができる。各ＤＢ３１、及び３２は、例えばサーバ３０に搭載、或いは接続されたハードディスク装置等の補助記憶装置に格納されている。
【００１４】
図２は、上記移動端末１０の構成図である。
その移動端末１０は、図１に示すように、アンテナＡＴ１を介して送受信する信号の周波数変換、及び変復調等を行うＲＦ（Radio Frequency）ブロック部１０１と、端末１０全体の制御を行うＣＰＵ１０２と、そのＣＰＵ１０２が実行するプログラムや各種制御用データを格納したＲＯＭ１０３と、ＣＰＵ１０２がワークに用いるＲＡＭ１０４と、例えば共に液晶表示装置である２つの表示部１０５、及び１０６と、各表示部１０５、１０６に画像を表示させる表示ドライバ部１０７と、音声入力用のマイク１０８と、音声放音用のスピーカ１０９と、イヤホン用のジャック１１０と、及び各種スイッチを有するスイッチ部１１１と、を備えて構成されている。
【００１５】
なお、特には図示していないが、マイク１０８から出力されるアナログの音声信号はＡ／Ｄ変換器によりデジタルの音声信号に変換された後、ＣＰＵ１０２、或いはＲＦブロック部１０１に出力される。また、スピーカ１０９、及びジャック１１０には、Ｄ／Ａ変換器により変換されたアナログの音声信号が出力される。
【００１６】
上記２つの表示部１０５、及び１０６は、画面の大きさが異なるものである。その画面は、表示部１０５のほうが大きくなっている。このことから、表示部１０５はメイン表示部、表示部１０６はサブ表示部、とそれぞれ表記する。
【００１７】
上記ＲＦブロック部１０１は、通信ネットワーク２０を構成する携帯電話網、或いはＰＨＳ網等の移動体通信網から送信された信号を受信し処理するものである。受信した信号は復調して、ＣＰＵ１０２、或いはスピーカ１０９、及びジャック１１０（以降、前者のみを表記する）に出力する。電話による通話時には、その信号をスピーカ１０９に出力することにより接続先（電話がつながった電話機）からの音声を放音させる。インターネット接続時には、その信号（デジタルデータ）をＣＰＵ１０２に出力する。電話による通話時には、マイク１０８からの音声信号を入力し、それを変調しアンテナＡＴ１を介して送信する。
【００１８】
上記スイッチ部１１１が有するスイッチとしては、数字や文字等のシンボルの入力に用いられる各種数字（ダイヤル）キー、発呼等を指示するためのオフフックスイッチ、通信の終了等を指示するためのオンフックスイッチ、上下左右のスイッチからなるカーソルスイッチ、インターネットとの接続を指示するためのブラウザスイッチ、各種設定の変更を行える状態への移行を指示するための設定スイッチ、メイン表示部１０５に表示された内容の処理を指示するための決定スイッチ、及び１画面前の状態に戻るのを指示するためのクリアスイッチ、などがある。それらに割り当てられた機能は固定ではなく、状況に応じて他の機能が随時、割り当てられる。スイッチ部１１１は、例えばユーザーが何らかのスイッチを操作する度に、操作されたスイッチをＣＰＵ１０２に通知する。
【００１９】
上記設定スイッチを操作することにより設定が変更可能となるものには、着信音、留守応答の他に、画面表示の配色、及び待受画面、などがある。ここでは便宜的に、最初の３種類にのみ着目する。
【００２０】
それらの設定変更は何れも、提示された選択肢のなかから所望のものを選択することで行われる。着信音、留守応答の選択肢はそのデータをダウンロードすることで増やすことができるが、配色の選択肢は増やすことはできない。
【００２１】
上記ＲＯＭ１０３には、最初から着信音や留守応答の選択が行えるように、着信音や留守応答のデータが複数、予め格納されている。サーバー３０からダウンロードされた着信音や留守応答のデータは、ＲＡＭ１０４に格納される。電源がオフされてもその保存を行えるように、ＲＡＭ１０４は不揮発性化されている。サーバ３０からのデータは、通信ネットワーク２０、及び基地局２１を介して移動端末１０に送信される。それにより、データの受信、及び送信はＲＦブロック部１０１を介して行われる。
【００２２】
本実施の形態では、上記着信音、留守応答、及び画面表示の配色の各設定の変更を自動的に行うようにしている。その自動的な変更（更新）を行うことにより、その変更の前後で移動端末１０の動作が変化する。その変化から、どのような機能が搭載されているか予測できるようになる。このため、搭載された機能を理解していない、或いは余り理解していないようなユーザーに対しては、その理解を支援することとなる。その機能を理解している程度に係わらず、ユーザーに自動的な動作の変化を楽しませることができる。
【００２３】
自動的な変更をより適切に行えるようにするために、本実施の形態では、設定変更（設定内容の更新）の履歴をそれぞれ保存するようにしている。その履歴として保存する、更新に係わるデータは、例えば更新日時、更新による変更内容（更新の前後における差分を示す情報）、設定変更の原因（ユーザーか否か）、などである。それらのデータは、ＲＡＭ１０４に確保した領域に保存される。
【００２４】
更新日時は、自動変更を行うタイミングを特定するために用いられる。これは、例えばユーザーが設定変更を行った後、直ちに自動的に設定変更するようなことを回避して、ユーザーが自らの意志で行った設定変更を尊重するためである。更新日時を考慮して自動変更を行うことにより、ユーザーの意志を確実に尊重できるようになる。
【００２５】
更新による変更内容は、ユーザーの嗜好（ユーザーの傾向）を把握するために用いられる。その嗜好を把握することにより、ユーザーが好む設定内容での更新をより適切に行えるようになる。設定変更の原因は、そのような更新をより確実に行えるようにする。
【００２６】
以降は、図３〜図８に示す各処理のフローチャートを参照して、各種設定の自動変更を行う移動端末１０の動作について詳細に説明する。なお、図３〜図７に示す各処理は、移動端末１０に搭載のＣＰＵ１０２が、ＲＯＭ１０３に格納されたプログラムを実行しながら、ＲＯＭ１０３、或いはＲＡＭ１０４に格納されたアプリケーションプログラムを必要に応じて実行することで実現される。図８に示す処理は、サーバ３０に搭載のＣＰＵが、例えばハードディスク装置に格納されたプログラムを実行することで実現される。
【００２７】
図３は、設定スイッチ処理のフローチャートである。ユーザーの設定スイッチへの操作に対応するために実行される。始めに図３を参照して、そのスイッチ処理について詳細に説明する。
【００２８】
先ず、ステップ３０１では、設定変更の対象をユーザーに選択させるための設定リスト画面をメイン表示部１０５に表示させる。続くステップ３０２では、その画面上に配置したリスト上の一つの項目をフォーカスさせる。その後に移行するステップ３０３では、カーソルスイッチがオンされたか否か判定する。カーソルスイッチを構成する何れかのスイッチをユーザーが操作した場合、判定はＹＥＳとなり、ステップ３０４で現在のフォーカス位置、及びユーザーが操作したスイッチの種類に応じてフォーカス位置を移動させてから、ステップ３０５に移行する。そうでない場合には、判定はＮＯとなり、そのステップ３０５に移行する。
【００２９】
ステップ３０５では、決定スイッチがオンされたか否か判定する。そのスイッチをユーザーが操作した場合、判定はＹＥＳとなってステップ３０７に移行する。そうでない場合には、判定はＮＯとなってステップ３０６に移行し、クリアスイッチがオンされたか否か判定する。そのスイッチをユーザーが操作した場合、判定はＹＥＳとなって上記ステップ３０３に戻り、設定変更の対象を選択できる状態を維持させる。そうでない場合には、判定はＮＯとなり、ここで一連の処理を終了する。
【００３０】
ステップ３０７では、決定スイッチがオンされたときのフォーカス位置が着信音設定の項目となっていたか否か判定する。その項目がフォーカスされている状態でユーザーが決定スイッチを操作した場合、判定はＹＥＳとなり、ステップ３０８でユーザーに着信音を設定させるための着信音設定処理を実行し、次のステップ３０９で着信音用の履歴（着信音変更履歴）を設定の変更に応じて更新してから、上記ステップ３０１に戻る。そうでない場合には、判定はＮＯとなってステップ３１０に移行する。
【００３１】
着信音変更履歴は、ＲＡＭ１０４に確保した領域に格納されている。このため、その変更に伴う更新は、その領域内に新たにデータを格納するエリア（レコード）を用意し、そのエリアに、更新日時としての現在日時、変更前の設定内容、設定変更の原因としてのユーザーなどをストアすることで行われる。実際に設定が変更されなければ、更新は行わない。なお、領域に確保するエリア数に上限を設けて格納するデータを制限しても良いが、一定期間の経過によってデータを削除することによりその制限を行っても良い。
【００３２】
ステップ３１０では、決定スイッチがオンされたときのフォーカス位置が留守応答の項目となっていたか否か判定する。その項目がフォーカスされている状態でユーザーが決定スイッチを操作した場合、判定はＹＥＳとなり、ステップ３１１でユーザーに留守応答を設定させるための留守応答設定処理を実行し、次のステップ３１２で留守応答用の履歴（留守応答履歴）を着信音変更履歴と同様に設定の変更に応じて更新してから、上記ステップ３０１に戻る。そうでない場合には、判定はＮＯとなってステップ３１３に移行する。
【００３３】
ステップ３１３では、決定スイッチがオンされたときのフォーカス位置が配色設定の項目となっていたか否か判定する。その項目がフォーカスされている状態でユーザーが決定スイッチを操作した場合、判定はＹＥＳとなり、ステップ３１４でユーザーに配色を設定させるための配色設定処理を実行し、次のステップ３１５で配色用の履歴（配色変更履歴）を着信音変更履歴と同様に設定の変更に応じて更新してから、上記ステップ３０１に戻る。そうでない場合には、判定はＮＯとなり、その他の項目の設定をユーザーに行わせるための処理を実行し（ステップ３１６）、ユーザーが設定変更した項目に対応する更新履歴を着信音変更履歴と同様に設定の変更に応じて更新してから（ステップ３１７）、上記ステップ３０１に戻る。
【００３４】
このようにして、ユーザーが何らかの設定変更を実際に行うと、その変更の対象となった設定に対応する履歴が更新され、その変更に係わるデータが保存される。
図４は、タイマインタラプト処理のフローチャートである。その処理は、設定内容の自動変更を必要に応じて行うためのものであり、一定時間が経過する度に実行される。次に図４を参照して、その処理について詳細に説明する。
【００３５】
先ず、ステップ４０１では、現在日時を例えば内蔵のタイマーから取得する。次のステップ４０２では、それぞれがＲＡＭ１０４に確保の領域に格納されている更新履歴のなかの一つを読み出す。その次のステップ４０３では、現在時刻が、読み出した更新履歴に格納された更新日時の最新のものから所定期間が経過しているか否か判定する。読み出した更新履歴に対応する設定が最後に変更されてからその所定期間が経過していた場合、判定はＹＥＳとなってステップ４０４に移行し、そうでない場合には、判定はＮＯとなってステップ４０５に移行する。
【００３６】
ステップ４０４では、所定期間を越える間、設定が変更されなかった設定を自動変更（更新）する自動更新処理を実行する。その実行後は、ステップ４０５に移行して、全ての更新履歴について読み出しが終了したか否か判定する。更新履歴を全て読み出して更新すべき設定の自動更新を全て行った場合、判定はＹＥＳとなり、ここで一連の処理を終了する。そうでない場合には、判定はＮＯとなって上記ステップ４０２に戻り、それまでに読み出していない更新履歴の読み出しを行う。それにより、更新履歴を全て読み出して更新すべき設定の自動更新を全て行うまで、ステップ４０２〜４０５で形成される処理ループを繰り返し実行する。
【００３７】
図５、及び図６は、上記ステップ４０４として実行される自動更新処理のフローチャートである。次に図５及び図６を参照して、その自動更新処理について詳細に説明する。
先ず、ステップ５０１では、更新対象は着信音か否か判定する。上記ステップ４０２で読み出した更新履歴が着信音変更履歴であった場合、更新の対象は着信音となることから、判定はＹＥＳとなってステップ５０２に移行し、そうでない場合には、判定はＮＯとなってステップ５０７に移行する。
【００３８】
ステップ５０２では、サーバ３０との接続を行う。続くステップ５０３では、着信音要求信号、及び着信音変更履歴をサーバ３０に送信することにより、その履歴に格納されている更新による変更内容に着目して選択される着信音のダウンロートを依頼する。その依頼後は、ステップ５０４に移行して、サーバ３０から着信音を受信するのを待つ。
【００３９】
サーバ３０との接続は、通信ネットワーク２０を構成する移動体通信網に対してインターネットとの接続要求を行って接続させた後、そのＵＲＬを送信することで行われる。その接続要求やＵＲＬの送信はＲＦブロック部１０１を介して行われる。
【００４０】
サーバ３０から着信音を受信すると、ステップ５０４からステップ５０５に移行する。そのステップ５０５では、受信した着信音をＲＡＭ１０４に保存し、その着信音を実際に放音させるものとして設定する。その次に移行するステップ５０６では、その設定に合わせて着信音変更履歴を更新する。その更新を行った後、一連の処理を終了する。
【００４１】
上記ステップ５０１の判定がＮＯとなって移行するステップ５０７では、更新対象は留守応答か否か判定する。上記ステップ４０２で読み出した更新履歴が留守応答履歴であった場合、更新の対象は留守応答となることから、判定はＹＥＳとなってステップ５０８に移行し、そうでない場合には、判定はＮＯとなって図６のステップ５１３に移行する。ステップ５０８〜５１２の処理については、上述のステップ５０２〜５０６の処理と基本的に同じであるため、詳細な説明は省略する。
【００４２】
図６のステップ５１３では、更新対象は配色か否か判定する。上記ステップ４０２で読み出した更新履歴が配色変更履歴であった場合、更新の対象は配色となることから、判定はＹＥＳとなってステップ５１４に移行する。そうでない場合には、判定はＮＯとなり、ステップ５１７でその他の更新対象の設定を変更するための処理を実行し、更にステップ５１８でその変更に合わせた対応する更新履歴の更新を行った後、一連の処理を終了する。
【００４３】
ステップ５１４では、配色変更履歴を参照して、配色の種類を決定する。続くステップ５１５では、表示画面の各部への配色の割り当てを決定する。その次のステップ５１６では、それらの決定による変更に合わせて配色変更履歴を更新する。一連の処理はその後に終了する。
【００４４】
配色の種類やその割り当ての決定は、例えば過去に設定されていないものか、或いは設定されていた時期が最も早いものを抽出して行う。それにより、ユーザーがこれまで見たものと大きく異なるように配色の自動変更を行っている。
【００４５】
図７は、着信検知処理のフローチャートである。その検知処理は、電話の着信を通知する信号を受信することでＲＦブロック部１０１が出力する割り込み信号によって起動される処理である。ユーザーにより、或いは自動更新により設定された着信音の放音、更には留守応答の送信は、その検知処理を実行することで行われる。次に図７を参照して、その検知処理について詳細に説明する。
【００４６】
先ず、ステップ７０１では、時間計時用のタイマーをスタートさせる。次のステップ７０２では、設定された着信音をスピーカ１０９から放音させることで着信の報知を行う。その後はステップ７０３に移行して、オフフックスイッチがオンされたか否か判定する。そのスイッチをユーザーが操作した場合、判定はＹＥＳとなってステップ７０４に移行し、そうでない場合には、判定はＮＯとなってステップ７０７に移行する。
【００４７】
着信音のデータは、ＲＯＭ１０３或いはＲＡＭ１０４に格納されている。そのデータを用いた着信音の放音は、例えばそのデータをＤ／Ａ変換器に入力する形式に変換して（通常、解凍を含む）、順次、Ｄ／Ａ変換器に出力し、その変換器から着信音放音用のアナログ信号をスピーカ１０９に出力させることで行われる。留守応答の送信は、そのデータを送信する形式のデータに変換（解凍を含む）して、ＲＦブロック部１０１から送信させることで行われる。
【００４８】
ステップ７０４では、相手機との間で音声信号のやりとりを行うことで通話を実現させる通話処理を実行する。続くステップ７０５では、オンフックスイッチがオンされたか否か判定する。そのスイッチをユーザーが操作した場合、判定はＹＥＳとなり、ステップ７０６で相手機との接続の切断、つまり終話を移動体通信網側に要求する終話処理を実行した後、一連の処理を終了する。そうでない場合には、判定はＮＯとなって上記ステップ７０４に戻る。それにより、終話を要求するまでの間、通話を行える状態を維持する。
【００４９】
一方、ステップ７０７では、タイマーの値が所定値より大きいか否か判定する。その所定値は、着信から留守応答を送信するまでの時間に対応するものである。このため、着信からその時間が経過していない場合、判定はＮＯとなって上記ステップ７０２に戻り、着信音の放音を継続させる。反対にそうでない場合には、判定はＹＥＳとなり、ステップ７０８で通話状態に移行させ、設定された留守応答をＲＦブロック部１０１から送信させてから、ステップ７０６に移行する。
【００５０】
図８は、サーバ３０が実行する全体処理のフローチャートである。通信を行う対象として移動端末１０のみに着目し、その移動端末１０との通信に対応して実行する処理を抜粋してその流れを示したものである。最後に図８を参照して、そのサーバ３０の動作について詳細に説明する。
【００５１】
先ず、ステップ８０１では、移動端末１０から信号を受信したか否か判定する。その移動端末１０からサーバ３０に信号を送信していない場合、判定はＮＯとなり、ステップ８０２でその他の処理を実行する。その実行後はそのステップ８０１に戻る。一方、そうでない場合には、判定はＹＥＳとなってステップ８０３に移行する。
【００５２】
ステップ８０３では、受信した信号が着信音要求信号か否か判定する。その要求信号をサーバ３０が受信した場合、判定はＹＥＳとなり、その信号と併せて送信される着信音変更履歴に格納された更新による変更内容（これまでに設定された着信音を示す）を重視した分析を行い、移動端末１０のユーザーが好むカテゴリ、リズム、曲調などを特定して、その特定結果に最も一致する着信音を着信音ＤＢ３１から抽出し（ステップ８０４）、抽出した着信音を移動端末１０に送信してから（ステップ８０５）、上記ステップ８０１に戻る。反対にそうでない場合には、判定はＮＯとなってステップ８０６に移行する。
【００５３】
ステップ８０６では、受信した信号が留守応答要求信号か否か判定する。その要求信号をサーバ３０が受信した場合、判定はＹＥＳとなり、ステップ８０４と同様にして、その信号と併せて送信される留守応答履歴に格納された更新による変更内容（ここでは設定されていた留守応答）を重視した分析を行って移動端末１０のユーザーが好む傾向を特定して、その特定結果に最も一致する留守応答を留守応答ＤＢ３２から抽出し（ステップ８０７）、抽出した留守応答を移動端末１０に送信してから（ステップ８０８）、上記ステップ８０１に戻る。反対にそうでない場合には、判定はＮＯとなり、ステップ８０９でその他の受信応答処理を実行してから上記ステップ８０１に戻る。
【００５４】
このようにして、本実施の形態では、設定するのが適切と考えられる着信音、留守応答をサーバ３０側で選択させ、その選択結果を移動端末１０側で設定するようにさせている。これは、適切と考えられる着信音や留守応答を選択するための処理の負荷が重いためである。しかし、そのようにすると、サーバ３０間でやりとりするデータ量が大きくなることから、移動端末１０側でその選択を行わせるようにしても良い。
【００５５】
なお、本実施の形態では、自動更新を実行する条件を固定とさせているが、その条件をユーザーが変更できるようにしても良い。自動更新で内容を設定するうえでの規則や方向性等をユーザーが指定できるようにしても良い。その本実施の形態は移動通信端末装置に本発明を適用させたものであるが、本発明は、それとは別の種類のデータ処理装置に適用させても良い。
【００５６】
上述したような移動端末１０を実現させるようなプログラムは、ＣＤ−ＲＯＭ、ＤＶＤ、或いは着脱自在なフラッシュメモリ等の記録媒体に記録させて配布しても良い。携帯電話網等の通信ネットワークを介して、そのプログラムの一部、若しくは全部を配信するようにしても良い。そのようにした場合には、ユーザーはプログラムを取得してデータ処理装置にロードすることにより、その装置に本発明を適用させることができる。このことから、記録媒体は、プログラムを配信する装置がアクセスできるものであっても良い。
【図面の簡単な説明】
【００５７】
【図１】本実施の形態によるデータ処理装置が通信可能なネットワークシステムの構成を説明する図である。
【図２】本実施の形態によるデータ処理装置の構成図である。
【図３】設定スイッチ処理のフローチャートである。
【図４】タイマインタラプト処理のフローチャートである。
【図５】自動更新処理のフローチャートである。
【図６】自動更新処理のフローチャートである（続き）。
【図７】着信検知処理のフローチャートである。
【図８】サーバが実行する全体処理のフローチャートである。
【符号の説明】
【００５８】
１０    データ処理装置（移動通信端末装置）
２０    通信ネットワーク
３０    サーバ
３１    着信音ＤＢ
３２    留守応答ＤＢ
１０１    ＲＦブロック部
１０２    ＣＰＵ
１０３    ＲＯＭ
１０４    ＲＡＭ
１０５、１０６    表示部
１０９    スピーカ
１１１    スイッチ部
【図１】
2006019990.tif 000003
【図２】
2006019990.tif 000004
【図３】
2006019990.tif 000005
【図４】
2006019990.tif 000006
【図５】
2006019990.tif 000007
【図６】
2006019990.tif 000008
【図７】
2006019990.tif 000009
【図８】
2006019990.tif 000010